(57)【特許請求の範囲】
【請求項１】
フェース面とバック面とを有し、ヒール部（１）とトウ部（２）とソール部（３）とトップブレード（４）のバック面にトップブレード（４）側の肉厚が最も薄く形成されたひとつのつながりの環状をなす厚肉縁部（５）によって囲まれたキャビティ（６）を形成したゴルフクラブヘッドにおいて、
少なくとも上記バック面のキャビティ（６）内に、キャビティ（６）の底部から隆起し、厚肉縁部（５）からほぼ等間隔離間しかつ厚肉縁部（５）に沿って延びるひとつのつながりの環状をなすリブ（７）を設け、
このリブ（７）によって上記キャビティ（６）を内外２つの分割キャビティ（６Ａ）（６Ｂ）に区分し、
前記内側の分割キャビティ（６Ａ）内にヘッドの重心位置を含ませ、
前記リブ（７）の底面からの高さは厚肉縁部（５）の高さに対応するようにトップブレード（４）側で低く、ソール部（３）側で高く形成し、
前記外側キャビティ（６Ｂ）内に振動吸収材を配設したことを特徴とするゴルフクラブヘッド。
【請求項２】
前記厚肉縁部（５）とリブ（７）との間隔（ｖ）を６mm前後としたことを特徴とする請求項１に記載のゴルフクラブヘッド。
【請求項３】
前記リブ（７）の幅（ｗ）を３mm前後としたことを特徴とする請求項１又は２に記載のゴルフクラブヘッド。
【請求項４】
前記厚肉縁部（５）とリブ（７）との間に延びる第２のリブ（９）を複数設けたことを特徴とする請求項１ないし３のいずれか１項に記載のゴルフクラブヘッド。
【発明の詳細な説明】
【０００１】
【発明の属する技術分野】
この発明は、所謂キャビティバックと呼ばれるゴルフクラブヘッドに関する。
【０００２】
【従来の技術】
アイアンクラブのヘッドは、バック面の形状の違いにより、マッスルバック、プレーンバック、キャビティバックなどと呼ばれている。ヘッドのバック面における肉付けの具合によって重心位置を移動できるので、このバック面にはさまざまな意匠やデザインが施されている。バック面に筋肉のようにふくらみをもたせたものがマッスクバック、肉厚を全体に均等にしたものがプレーンバック、中央部の肉を削り落としたものがキャビティバックと呼ばれている。アイアンクラブのヘッドでは、打球の左右および上下方向安定性を良くするためにヘッドの縦軸並びに横軸まわりの慣性モーメントを大きくし、それによってスイートエリアを拡大することが図られてきた。そのために種々講じられてきた手段のうち代表的な例としては、ヘッドのバック面において、フェース面との間で必要最小限の厚みを残して肉を削り落して、削った肉を周縁部に付加することによって、バック面に広いキャビティとこれを取囲む厚肉の周縁部を形成する構造、すなわちキャビティバックの構造が多く採用されるに至っている。ヘッドの中央部分の肉厚を薄くし、周りを重く、すなわち周辺重量配分した構造では、ヘッド全体を大きくすることができ、スイートエリアの拡大が図れ、ミスショットでのブレが少なく、パワーロスも少なくなり、方向的にも飛距離的にもミスが現れにくくなる。
【０００３】
【発明が解決しようとする課題】
キャビティによる周辺重量配分では、トップブレードを厚肉にすると、すなわちヘッドの上の部分も下の部分と変わらず肉厚であったならば、高重心となり、ボールは上がりにくくロングアイアンは打ちづらくなる。そのため、ソール部を最大肉厚とし、ソール部からトウ部、ヒール部、トップブレードにかけて肉厚を漸次減少させている。トップブレードの位置での肉厚はソール部の肉厚の３分の１またはそれ以下とされている。このようなヘッドは、ボールを上げ易く、打球の方向安定性の面では優れているものの、スイング時のインパクトによって生じる振動が肉厚の薄いトップブレード近傍で増大し、プレイヤーの手に不快感を与えるという問題があった。このような問題を解決するため、キャビティのトップブレード側の周縁部に沿ってＣＦＲＰ等の熱硬化性樹脂を配置することも試みられたが、十分な効果を奏していない。
【０００４】
そこで、この発明は、トウアンドヒール側とソール側に周辺重量配分した低重心のキャビティバック構造のヘッドであっても、インパクト時の振動が手に伝わりにくく、打感が良好なゴルフクラブヘッドを提供することを目的とする。
【０００５】
【課題を解決するための手段】
上述の目的を達成するため、この発明は、フェース面とバック面とを有し、ヒール部とトウ部とソール部とトップブレードのバック面にトップブレード側の肉厚が最も薄く形成されたひとつのつながりの環状をなす厚肉縁部によって囲まれたキャビティを形成したゴルフクラブヘッドにおいて、少なくとも上記バック面のキャビティ内に、キャビティの底部から隆起し、厚肉縁部からほぼ等間隔離間しかつ厚肉縁部に沿って延びるひとつのつながりの環状をなすリブを設け、このリブによって上記キャビティを内外２つの分割キャビティに区分し、前記内側の分割キャビティ内にヘッドの重心位置を含ませ、前記リブの底面からの高さは厚肉縁部の高さに対応するようにトップブレード側で低く、ソール部側で高く形成し、前記外側キャビティ内に振動吸収材を配設したものである。
【０００６】
【発明の実施の形態】
以下に、この発明の好適な実施例を図面を参照にして説明する。
【０００７】
図１に示すこの発明の第１実施例では、ゴルフクラブをアドレスした時に地面とほぼ平行な面内でヒール部１からトウ部２間に延びるソール部３を有し、ヒール部１とトウ部２間の上方位置にトップブレード４を有している。ヒール部１、トウ部２、ソール部３、トップブレード４のバック面には厚肉縁部５が形成してある。厚肉縁部５はソール部３で最も厚く、上方に向けて徐々に薄くなり、トップブレード４の部分が最も薄くなっている。ヘッドのバック面には中央部にキャビティ６が設けられ、このキャビティ６内にキャビティ６の底部から隆起し、厚肉縁部５から離間しかつ厚肉縁部に沿って延びるリブ７を設けてある。このリブ７によってキャビティ６は内外複数の分割キャビティ６Ａ，６Ｂに区分される。
【０００８】
図２は図１のＡ−Ａ線に沿って切断した端面図を示し、インパクト面８はソール部３のヒール部１とトウ部２間に亘る前縁から上方向に延びている。
【０００９】
図３は図１のＢ−Ｂ線に沿って切断した端面図を示し、トップブレード４側のリブ７のキャビティ６底面からの高さは図２に示すリブ７の高さよりも低く形成してある。すなわちリブ７の高さは厚肉縁部５の高さに対応させてある。また、リブ７の幅は３mm程度が好適である。なお、このリブ７の高さはキャビティ６の底部からどの個所においても同じ高さに形成することもできる。内側の分割キャビティ６Ａ内にヘッドの重心位置を含ませる（平面上で見た場合）。なお、外側の分割キャビティ６Ｂ内に振動低減のために樹脂材料（熱可塑性，熱硬化性），ゴム材料やゲル材料等の振動吸収材を設けることができる。具体的にはＣＦＲＰ，アイオノマー樹脂，ソルボセイン等の振動吸収材が挙げられる。このような樹脂は外側の分割キャビティ６Ｂ内全体を埋めるように設けても良いし、部分的に設けても良い。
【００１０】
図４はこの発明の第２実施例を示し、インパクト面８の剛性を向上させるためにリブ７と厚肉縁部５との間に延びる第２のリブ９を複数設けたものである。図示する実施例では、第２のリブ９はソール部３側に３個設け、それぞれのリブ９の間隔はほぼ等間隔とし、トップブレード４側にもほぼ等間隔で３個設けた。これら第２のリブ９の高さはリブ７よりも低くすることが好ましい。
【００１１】
図５は図４のＣ−Ｃ線に沿って切断した端面図であり、リブ７の高さｈは、トップブレード４側をソール３側に比べて低く形成してあり、リブ７の幅ｗは、３mm前後とし、リブ７と厚肉縁部５との間隔ｖは６mm前後としてある。また、ヘッドをステンレススチールで製造した場合、インパクト面８の厚みｔは約３mm程度とした。
【００１２】
リブ７は、ヘッドのバック面のキャビティ６内にキャビティ６の底部から隆起し、厚肉縁部５に沿って延びるものであるが、第２のリブ９は図示する実施例のように形成されず、トップブレード４の左右両端から延びてリブ７と交わり内側の分割キャビティ６Ａ内の重心位置に重なるような円弧状のものであっても良い。さらに、第２のリブ９としてはリブ７の外側あるいは内側に相似形のものを設けることもできる。なお、第２実施例においても熱硬化性樹脂を分割キャビティ６Ｂに設けることができる。
【００１３】
【発明の効果】
以上説明したようにこの発明によれば、フェース面とバック面とを有し、ヒール部とトウ部とソール部とトップブレードのバック面にトップブレード側の肉厚が最も薄く形成されたひとつのつながりの環状をなす厚肉縁部によって囲まれたキャビティを形成したゴルフクラブヘッドにおいて、少なくともバック面のキャビティ内に、キャビティの底部から隆起し、厚肉縁部からほぼ等間隔離間しかつ厚肉縁部に沿って延びるひとつのつながりの環状をなすリブを設け、このリブによってキャビティを内外２つの分割キャビティに区分し、前記内側の分割キャビティ内にヘッドの重心位置を含ませ、前記リブの底面からの高さは厚肉縁部の高さに対応するようにトップブレード側で低く、ソール部側で高く形成し、前記外側キャビティ内に振動吸収材を配設したので、薄肉化されたインパクト面およびトップブレードの振動に起因して生じていたインパクト時の不快感は、振動吸収材とリブの存在により低減され、インパクト時に手に伝わる不快感は解消され、打感が良好となる。
【図面の簡単な説明】
【図１】この発明の第１実施例を示すバック面から見た図。
【図２】図１のＡ−Ａ線に沿って切断した端面図。
【図３】図１のＢ−Ｂ線に沿って切断した端面図。
【図４】第２実施例を示すバック面から見た図。
【図５】図４のＣ−Ｃ線に沿って切断した端面図。
【符号の説明】
４  トップブレード
５  厚肉縁部
６  キャビティ
６Ａ，６Ｂ  分割キャビティ
７  リブ
【図１】
0003850910.tif 000002
【図２】
0003850910.tif 000003
【図３】
0003850910.tif 000004
【図４】
0003850910.tif 000005
【図５】
0003850910.tif 000006